【手続補正書】
【提出日】平成25年2月27日(2013.2.27)
【手続補正１】
【補正対象書類名】特許請求の範囲
【補正対象項目名】全文
【補正方法】変更
【補正の内容】
【特許請求の範囲】
【請求項１】
複数の光射出点群と、
該光射出点群を投影する複数のレンズと、を備える表示装置において、
該光射出点群は少なくとも一つの光射出点を有し、
該それぞれのレンズが該光射出点群の像を重ねて投影されるように配置されており、
該レンズにより投影され重なった該光射出点群の中の光射出点の重なりを観察者の眼の瞳に入射させることにより該複数のレンズの投影像を観察者の眼の網膜上に生じせしめ、
該レンズによって投影される光射出点の大きさが観察者の眼の瞳径より小さいことを特徴とする表示装置。
【請求項２】
該光射出点群のピッチＰｐと該レンズのピッチＬｐが次式（２）を満たすことを特徴とする請求項１に記載の表示装置。
Ｌｐ／Ｐｐ＝（Ｆｆ−Ｆ）／Ｆｆ  ・・・（２）
但し、
Ｆｆは前記複数のレンズと前記光射出点群の像との距離、
Ｆは前記複数のレンズの焦点距離、
である。
【請求項３】
該光射出点群の像と該レンズとの距離Ｆｆが次式（１）を満たすことを特徴とする請求項１又は請求項２に記載の表示装置。
−Ｌ／２≦Ｆｆ≦∞・・・（１）
但し、
Ｌは該レンズと観察者の眼のレンズとの距離、
である。
【請求項４】
該複数のレンズがマイクロレンズアレイで構成されることを特徴とする請求項１から請求項３のいずれか１項に記載の表示装置。
【請求項５】
少なくとも三色の光を発する光射出点を有することを特徴とする請求項１から請求項４のいずれか１項に記載の表示装置。
【請求項６】
異なる色のサブ情報画素で構成される情報画素を有し、該サブ情報画素に対応してレンズが設けられていることを特徴とする請求項１から請求項５のいずれか１項に記載の表示装置。
【請求項７】
異なる色のサブ情報画素の光射出点が投影像で重なるように複数のサブ情報画素で１つの光射出点群を形成し１つのレンズに対応させていることを特徴とする請求項１に記載の表示装置。
【請求項８】
該三色が赤、緑、青を含んでいる請求項５から請求項７のいずれか１項に記載の表示装置。
【請求項９】
該情報画素が同じ繰り返しの三色のサブ情報画素で構成され、光射出点群を形成するサブ情報画素の数が２つ或いは４つであることを特徴とする請求項６に記載の表示装置。
【請求項１０】
該情報画素が異なる順序の三色のサブ情報画素で構成され、光射出点群を形成するサブ情報画素の数が３つであることを特徴とする請求項６に記載の表示装置。
【請求項１１】
該マイクロレンズアレイの有効寸法が該表示画素を有する表示デバイスの表示寸法に等しいか、或いは大きいことを特徴とする請求項４から請求項１０のいずれか１項に記載の表示装置。
【請求項１２】
該サブ情報画素の形状が短冊状であることを特徴とする請求項６から請求項１１のいずれか１項に記載の表示装置。
【請求項１３】
該サブ情報画素２つに対して該レンズが１つ設けられていることを特徴とする請求項６から請求項１２のいずれか１項に記載の表示装置。
【請求項１４】
該サブ情報画素３つに対して該レンズが１つ設けられていることを特徴とする請求項６から請求項１２のいずれか１項に記載の表示装置。
【請求項１５】
該サブ情報画素４つに対して該レンズが１つ設けられていることを特徴とする請求項６から請求項１２のいずれか１項に記載の表示装置。
【請求項１６】
該光射出点の像の大きさが０．５から２．８ｍｍであることを特徴とする請求項１２から請求項１５のいずれか１項に記載の表示装置。
【請求項１７】
該複数のレンズはマイクロレンズアレイで構成され、該レンズの径が５０μｍ以上であることを特徴とする請求項１６に記載の表示装置。
【請求項１８】
該情報画素に液晶表示デバイスを用いることを特徴とする請求項６から請求項１７のいずれか１項に記載の表示装置。
【請求項１９】
該液晶デバイスの光源がＬＥＤ或いはＬＤであることを特徴とする請求項１８に記載の表示装置。
【請求項２０】
該情報画素に有機ＥＬデバイスを用いることを特徴とする請求項６から請求項１７のいずれか１項の表示装置。
【請求項２１】
複数の開口群と、
該開口群を投影する複数のレンズと、を備える表示ユニットにおいて、
該開口群は少なくとも一つの開口を有し、
該それぞれのレンズが開口群の像を重ねて投影されるように配置されており、
該レンズにより投影され重なった該開口群の中の開口の重なりを観察者の眼の瞳に入射させることにより該複数のレンズの投影像を観察者の眼の網膜上に生じせしめることを特徴とする表示ユニット。
【請求項２２】
該開口群のピッチＰｐと該レンズのピッチＬｐが次式（３）を満たすことを特徴とする請求項２１に記載の表示ユニット。
Ｌｐ／Ｐｐ＝（Ｆｆ−Ｆ）／Ｆｆ  ・・・（３）
但し、
Ｆｆは前記複数のレンズと前記光射出点群の像との距離、
Ｆは前記複数のレンズの焦点距離、
である。
【請求項２３】
該複数のレンズがマイクロレンズアレイを構成することを特徴とする請求項２１又は請求項２２に記載の表示ユニット。
【請求項２４】
該開口群が該マイクロレンズアレイと一体に作られていることを特徴とする請求項２３に記載の表示ユニット。
【請求項２５】
該マイクロレンズアレイのレンズの大きさが５０μｍ以上であることを特徴とする請求項２４に記載の表示ユニット。
【請求項２６】
該開口群が該マイクロレンズアレイの一つの面に印刷で形成されることを特徴とする請求項２４又は請求項２５に記載の表示ユニット。
【請求項２７】
請求項１から請求項２０のいずれか１項に記載の表示装置を備えることを特徴とする電子機器。
【請求項２８】
請求項１から請求項２０のいずれか１項に記載の表示装置を備えることを特徴とする携帯用電子機器。
【請求項２９】
請求項１から請求項２０のいずれか１項に記載の表示装置を備えることを特徴とする携帯電話。
【請求項３０】
メール機能を備えることを特徴とする請求項２８に記載の携帯電話。
【請求項３１】
カメラ機能を備えたことを特徴とする請求項２９に記載の携帯電話。
【請求項３２】
請求項１から請求項２０のいずれか１項に記載の表示装置を備えることを特徴とする撮像装置。
【請求項３３】
撮影条件を設定するスイッチが設けられたことを特徴とする請求項３２に記載の撮像装置。
【手続補正２】
【補正対象書類名】明細書
【補正対象項目名】００１３
【補正方法】変更
【補正の内容】
【００１３】
本発明に係る表示装置において、光射出点群のピッチＰｐとレンズのピッチＬｐが次式（２）を満たすことが好ましい。
Ｌｐ／Ｐｐ＝（Ｆｆ−Ｆ）／Ｆｆ  ・・・（２）
但し、
Ｆｆは前記複数のレンズと前記光射出点群の像との距離、
Ｆは前記複数のレンズの焦点距離、
である。
【手続補正３】
【補正対象書類名】明細書
【補正対象項目名】００３２
【補正方法】変更
【補正の内容】
【００３２】
本発明に係る表示ユニットにおいて、開口群のピッチＰｐとレンズのピッチＬｐが次式（３）を満たすことが好ましい。
Ｌｐ／Ｐｐ＝（Ｆｆ−Ｆ）／Ｆｆ  ・・・（３）
但し、
Ｆｆは前記複数のレンズと前記光射出点群の像との距離、
Ｆは前記複数のレンズの焦点距離、
である。
【手続補正４】
【補正対象書類名】明細書
【補正対象項目名】００５１
【補正方法】変更
【補正の内容】
【００５１】
また、レンズ１０２は、眼のレンズ１０３により、網膜１０５の近傍１０５’に結像される。具体的には、レンズ１０２の点１０２ａは、光線１０７ａ、１０８ａ、１０７ｃ、１０８ｃで示されるように、近傍１０５ａに結像する。また、レンズ１０２の点１０２ｂは、光線１０７ｂ、１０８ｂ、１０７ｄ、１０８ｄで示されるように、近傍１０５ｂに結像する。このように、網膜１０５の近傍１０５’に、レンズ１０２の像１０６が形成される。
レンズ１０２と光射出点群の像との距離をＦｆ、レンズ１０２と光射出点１０１との距離をＦｂとする。レンズ２の焦点距離をＦとすると、次式（４）が成り立つ。
１／Ｆｆ＋１／Ｆｂ＝１／Ｆ  ・・・（４）
【手続補正５】
【補正対象書類名】明細書
【補正対象項目名】００５２
【補正方法】変更
【補正の内容】
【００５２】
図１において、隣り合う光射出点１０１ａ、１０１ｂ、１０１ｃ（或いは後述する光射出点群）のピッチ（繰返しの間隔）をＰｐ、隣り合うレンズ１０２ａ、１０２ｂ、１０２ｃ（後述するマイクロレンズアレイのレンズに相当する）のピッチをＬｐとすると、これらは次式（５）を満たす。
Ｌｐ／Ｐｐ＝Ｆｆ／（Ｆｆ＋Ｆｂ）＝（Ｆｆ−Ｆ）／Ｆｆ  ・・・（５）
【手続補正６】
【補正対象書類名】明細書
【補正対象項目名】００６４
【補正方法】変更
【補正の内容】
【００６４】
光射出点群１２１ａ、１２１ｂ、１２１ｃは、レンズ１０２ｂによってそれぞれ投影される。これにより、光射出点群像１２２ａ、１２２ｂ、１２２ｃが、それぞれ形成される（図４）。また、レンズ１０２ａによって、光射出点群１２１ａは光射出点群像１２２ｂの位置に投影され、光射出点群１２１ｂは、光射出点群像１２２ｃの位置に投影される。また、レンズ１０２ｃによって、光射出点群１２１ｂは光射出点群像１２２ａの位置に投影され、光射出点群１２１ｃは光射出点群像１２２ｂの位置に投影される。なお、本実施形態の表示装置においても、レンズ１０２ａ、１０２ｂ、１０２ｃによって、瞳１０３ａに、光射出点１２３ａ、１２３ｂ、１２３ｃの像が重なるように投影される。また、レンズ１０２ａ、１０２ｂ、１０２ｃについては、眼のレンズ１０３によって網膜上にこれらの投影像１２４ａ、１２４ｂ、１２４ｃが形成される。光射出点群１２１ａ、１２１ｂ、１２１ｃ間のピッチＰｐとレンズ１０２ａ、１０２ｂ、１０２ｃのピッチＬｐの関係も、次式（５）を満たす。
Ｌｐ／Ｐｐ＝Ｆｆ／（Ｆｆ＋Ｆｂ）＝（Ｆｆ−Ｆ）／Ｆｆ  ・・・（５）
Ｆｆは、レンズ１０２ｂから光射出点群の像１２２ｂまでの距離、
Ｆｂは、光射出点群１２１ｂとレンズ１０２ｂとの距離、
Ｆは、レンズ１０２ｂの焦点距離、
である。
なお、光射出点群１２１ａ、１２１ｂ、１２１ｃをＲ（赤）、Ｇ（緑）、Ｂ（青）にそれぞれ対応させれば、観察者はカラー画像を観察できる。なお、光射出点群の間に隙間があるように描かれているが、説明の便宜上のもので、実際には不必要な隙間が無いのは、言うまでもない。
【手続補正７】
【補正対象書類名】明細書
【補正対象項目名】００８０
【補正方法】変更
【補正の内容】
【００８０】
マイクロレンズアレイ１２７の各レンズ間のピッチＬｐｘ、Ｌｐｙは、光射出点群１２１ａ、１２１ｂ、１２１ｃ（通常情報画素に相当する）のピッチをＰｐｘ、Ｐｐｙとして、次の式（９）及び式（１０）を満たす。
Ｌｐｘ＝ＰｐｘＦｆ／（Ｆｆ＋Ｆｂ）＝Ｐｐｘ（Ｆｆ−Ｆ）／Ｆｆ  ・・・（９）
Ｌｐｙ＝ＰｐｙＦｆ／（Ｆｆ＋Ｆｂ）＝Ｐｐｙ（Ｆｆ−Ｆ）／Ｆｆ  ・・・（１０）
ここで、
Ｆｆは、レンズ１０２ｂから光射出点群の像１２２ｂまでの距離、
Ｆｂは、光射出点群１２８とレンズ１２７’との距離、
Ｆは、レンズ１０２ｂの焦点距離、
である。
【手続補正８】
【補正対象書類名】明細書
【補正対象項目名】００９１
【補正方法】変更
【補正の内容】
【００９１】
Ｌｐｘ＝ＰｐｘＦｆ／（Ｆｆ＋Ｆｂ）＝Ｐｐｘ（Ｆｆ−Ｆ）／Ｆｆ  ・・・（９）
Ｌｐｙ＝ＰｐｙＦｆ／（Ｆｆ＋Ｆｂ）＝Ｐｐｙ（Ｆｆ−Ｆ）／Ｆｆ  ・・・（１０）
上式（９）、（１０）より、短冊状のレンズの大きさは５９．４×１７８．２μｍとなる。短冊状のレンズによって投影される光射出点１３３の光束径は、回折によって広がり、約２．７８ｍｍとなる。この広がりは、通常の眼の瞳径３ｍｍよりも小さいので被写界深度の拡大効果がある。